(57)【要約】【課題】電力系統監視制御装置の代行運用の切り替えに要する時間の短縮を図るとともに、ネットワークの伝送負荷の低減を図ることが可能な電力系統監視制御システムを提供する。【解決手段】本発明に係る電力系統監視制御システムは、監視、制御を行う管轄範囲が事業所毎に独立し分かれている事業所間において、監視、制御の代行運用を行う電力系統監視制御装置が監視、制御を行うのに必要なデータベースを、必要最小限の更新により、最新の状態と等価にする。【選択図】図１
2011147209.tif 000002
【特許請求の範囲】
【請求項１】
電力系統を監視し、制御する電力系統監視制御システムであって、
第１の電力系統を監視し、制御する第１の電力系統監視制御装置を備えた第１の事業所システムと、
前記第１の事業所システムとは異なる管轄範囲の第２の電力系統を監視し、制御する第２の電力系統監視制御装置を備えた第２の事業所システムと、を備え、
前記第１の電力系統監視制御装置は、
ネットワークを介して、少なくとも前記第２の事業所システムと情報交換するための第１の伝送制御部と、
電力系統を監視し、制御するための情報を記憶する第１のデータベースと、
前記第１のデータベースに記憶された情報に基づいて、前記第１の電力系統の監視、制御をし、また、前記第１の電力系統の監視、制御から、他の電力系統の監視、制御に切り替える第１の切替制御部と、
前記第１のデータベースのうち前記第１の電力系統以外の電力系統を監視、制御を代行運用するための情報に関する情報を、更新された情報と等価にする第１の等価編集処理部と、を含み、
前記第２の電力系統監視制御装置は、
前記ネットワークを介して、少なくとも前記第１の事業所システムと情報交換するための第２の伝送制御部と、
電力系統を監視、制御するための情報を記憶する第２のデータベースと、
前記第２のデータベースに記憶された情報に基づいて、前記第２の電力系統の監視、制御をし、前記第２の電力系統の監視、制御から、他の電力系統の監視、制御に切り替える第２の切替制御部と、
前記第２のデータベースに記憶された情報のうち前記第２の電力系統以外の電力系統を監視、制御を代行運用するための情報に関する情報を、更新された情報と等価にする第２の等価編集処理部と、を含み、
前記第２の電力系統監視制御装置は、
前記第１の電力系統監視制御装置の前記第１のデータベースが更新された時間以後に更新した前記第２のデータベースの情報のうち前記第２の電力系統を監視、制御するための情報の更新した部分を、前記第２の伝送制御部により、前記第１の電力系統監視制御装置に、前記ネットワークを介して、伝送し、
前記第１の電力系統監視制御装置は、
受信した前記更新した部分に基づいて、前記第１の等価編集処理部により、前記第１のデータベースに記憶された情報のうち前記第２の電力系統を監視、制御を代行運用するための情報を更新する
ことを特徴とする電力系統監視制御システム。
【請求項２】
前記第１の事業所システムは、従事業所システムの電力系統の監視、制御を代行運用することが可能な主事業所システムであり、
前記第２の事業所システムは、他の従事業所システムの電力系統の監視、制御を代行運用することが可能な従事業所システムである
ことを特徴とする請求項１に記載の電力系統監視制御システム。
【請求項３】
前記第１の事業所システムは、他の従事業所システムの電力系統の監視、制御を代行運用することが可能な第１の従事業所システムであり、
前記第２の事業所システムは、他の従事業所システムの電力系統の監視、制御を代行運用することが可能な第２の従事業所システムである
ことを特徴とする請求項１に記載の電力系統監視制御システム。
【請求項４】
前記ネットワークによる情報の伝送は、前記主事業所システムと前記従事業所システムとの間における１対１の専用線による情報の伝送である
ことを特徴とする請求項２に記載の電力系統監視制御システム。
【請求項５】
前記ネットワークによる情報の伝送は、前記第１の従事業所システムと前記第２の従事業所システムとの間における１対１の専用線による情報の伝送である
ことを特徴とする請求項３に記載の電力系統監視制御システム。
【請求項６】
前記第１の事業所システムは、従事業所システムの電力系統の監視、制御を代行運用することが可能な第１の主事業所システムであり、
前記第１の主事業所システムは、
前記電力系統監視制御システムと同様な構成を有する他の電力系統監視制御システムの第３の電力系統の監視、制御をすることが可能な従事業所システムの監視、制御を代行運用し、
前記第１の電力系統監視制御装置の前記第１のデータベースが更新された時間以後に更新した前記第１の従事業所システムのデータベースの情報のうち前記第３の電力系統を監視、制御するための情報の更新した部分が、前記第１の電力系統監視制御装置に、前記ネットワークを介して、伝送され、
前記第１の電力系統監視制御装置は、
受信した前記更新した部分に基づいて、前記第１の等価編集処理部により、前記第１のデータベースに記憶された情報のうち前記第３の電力系統を監視、制御を代行運用するための情報を更新する
ことを特徴とする請求項１に記載の電力系統監視制御システム。
【請求項７】
前記ネットワークによる情報の伝送は、前記第１の主事業所システムと前記他の電力系統監視制御システムの第２の主事業所システムとの間における１対１の専用線による情報の伝送である
ことを特徴とする請求項６に記載の電力系統監視制御システム。
【発明の詳細な説明】
【技術分野】
【０００１】
本発明は、電力系統を、監視し制御する電力系統監視制御システムに関する。
【背景技術】
【０００２】
図７は、従来の電力系統監視制御システム１０００Ａの構成の一例を示す図である。
【０００３】
図７に示すように、従来の電力系統監視制御システム１０００Ａは、主事業所システム１００と、従事業所システム２００と、従事業所システム３００と、ネットワークＮと、を備える。
【０００４】
また、主事業所システム１００は、電力系統監視制御装置１０１ｘと、遠方監視制御装置１０２と、事業所から遠隔地にある各変電所、開閉所、発電所等（以下電気所と称す）に設置された電力系統の開閉器１０３と、電力系統の機器１０４と、伝送路１０５ａ、１０５ｂ、１０６ａ、１０６ｂと、を有する。
【０００５】
電力系統監視制御装置１０１ｘは、事業所間の監視、制御の運用を代行するための切替制御部１０１ａと、伝送制御部１０１ｂと、を有する。電力系統監視制御装置１０１ｘは、伝送制御部１０１ｂにより、伝送路１０５ｂを介して、ネットワークＮに接続する。
【０００６】
電力系統の機器１０４は、電力系統の継電器、電流計、電圧計を含む。
【０００７】
また、従事業所システム２００は、電力系統監視制御装置２０１ｘと、遠方監視制御装置２０２と、事業所から遠隔地にある各電気所に設置された電力系統の開閉器２０３と、電力系統の機器２０４と、伝送路２０５ａ、２０５ｂ、２０６ａ、２０６ｂと、を有する。
【０００８】
電力系統監視制御装置２０１ｘは、事業所間の監視、制御の運用を代行するための切替制御部２０１ａと、伝送制御部２０１ｂと、を有する。電力系統監視制御装置２０１ｘは、伝送制御部２０１ｂにより、伝送路２０５ｂを介して、ネットワークＮに接続する。
【０００９】
電力系統の機器２０４は、電力系統の継電器、電流計、電圧計を含む。
【００１０】
また、従事業所システム３００は、電力系統監視制御装置３０１ｘと、遠方監視制御装置３０２と、事業所から遠隔地にある各電気所に設置された電力系統の開閉器３０３と、電力系統の機器３０４と、伝送路３０５ａ、３０５ｂ、３０６ａ、３０６ｂと、を有する。
【００１１】
電力系統監視制御装置３０１ｘは、事業所間の監視、制御の運用を代行するための切替制御部３０１ａと、伝送制御部３０１ｂと、を有する。電力系統監視制御装置３０１ｘは、伝送制御部３０１ｂにより、伝送路３０５ｂを介して、ネットワークＮに接続する。
【００１２】
電力系統の機器３０４は、電力系統の継電器、電流計、電圧計を含む。
【００１３】
図７に示す従来の電力系統監視制御システム１０００Ａは、遠方監視制御装置１０２、２０２、３０２と伝送路１０５ａ、１０６ａ、１０６ｂ、２０５ａ、２０６ａ、２０６ｂ、３０５ａ、３０６ａ、３０６ｂとを介して、電力系統の開閉器１０３、２０３、３０２、継電器、電流計、電圧計１０４、２０４、３０４等の電力系統の機器状態、電流、電圧に関する全ての情報を各事業所システムの電力系統監視制御装置１０１ｘ、２０１ｘ、３０１ｘに集める。そして、電力系統監視制御システム１０００Ａは、電力系統監視制御装置１０１ｘ、２０１ｘ、３０１ｘにより、個々の電気所について電力系統の状態監視、故障解析、停電区間の融通送電、電力の需要予測等の監視制御を行う。
【００１４】
特に、電力系統の監視制御を行うためには、現地機器設備の最新の状態が、正確に電力系統監視制御装置１０１ｘ、２０１ｘ、３０１ｘにデータベースとして登録されている必要がある。そして、このデータベースが、正しく開閉器の操作を行うための重要な要素となる。
【００１５】
次に、以上のような構成を有する従来の電力系統監視制御システム１０００Ａのデータベースの等価方式について説明する。
【００１６】
通常、主事業所システム１００、従事業所システム２００、従事業所システム３００は、独立した管轄範囲で監視制御を行っている。
【００１７】
主事業所システム１００は、従事業所システム２００および従事業所システム３００の代行運用を行うことができる。従事業所システム２００および従事業所システム３００は、従事業所システム２００、３００間でのみ代行運用を行うことができる。
【００１８】
例えば、主事業所システム１００が従事業所システム２００の管轄範囲を代行して監視制御を行う場合、主事業所システム１００の電力系統監視制御装置１０１ｘから事業所間の監視、制御の代行運用を、切替制御部１０１ａにより、切替える。この切替のタイミングで、従事業所システム２００の管轄範囲の現地機器設備に関するデータベース情報を、従事業所システム２００からネットワークＮを介して主事業所システム１００に、伝送する。
【００１９】
この場合、従事業所システム２００の全てのデータベース情報を、ネットワークＮを介して、主事業所システム１００に伝送し、主事業所システム１００のデータベースと等価にする。
【００２０】
これにより、ネットワークＮを伝送する情報量が膨大となり、ネットワークの伝送負荷が増大する。すなわち、代行運用切替に要する時間が長くなり、本来の監視制御の実施が遅延する問題がある。
【００２１】
ここで、従来の電力系統監視制御システムには、電力系統監視制御装置および遠方監視制御装置で使用されるソフトウエアを一元的に管理することによって、電力系統監視制御装置により遠方監視制御装置のソフトウエアをメンテナンスするものがある（例えば、特許文献１参照。）。
【００２２】
しかし、この従来の電力系統監視制御システムは、ネットワークの伝送負荷の低減を図るものではない。
【先行技術文献】
【特許文献】
【００２３】
【特許文献１】特開平２００７−１６６８２３号公報
【発明の概要】
【発明が解決しようとする課題】
【００２４】
上述のように、他事業所の電力系統の監視制御を代行運用するためには、代行運用時、他事業所の現地機器設備状態のデータベースを自事業所のデータベースに等価する必要がある。
【００２５】
そこで、本発明は、電力系統監視制御装置の代行運用の切り替えに要する時間の短縮を図るとともに、ネットワークの伝送負荷の低減を図ることが可能な電力系統監視制御システムを提供することを目的とする。
【課題を解決するための手段】
【００２６】
本発明の一態様に係る電力系統監視制御システムは、
電力系統を監視し、制御する電力系統監視制御システムであって、
第１の電力系統を監視し、制御する第１の電力系統監視制御装置を備えた第１の事業所システムと、
前記第１の事業所システムとは異なる管轄範囲の第２の電力系統を監視し、制御する第２の電力系統監視制御装置を備えた第２の事業所システムと、を備え、
前記第１の電力系統監視制御装置は、
ネットワークを介して、少なくとも前記第２の事業所システムと情報交換するための第１の伝送制御部と、
電力系統を監視し、制御するための情報を記憶する第１のデータベースと、
前記第１のデータベースに記憶された情報に基づいて、前記第１の電力系統の監視、制御をし、また、前記第１の電力系統の監視、制御から、他の電力系統の監視、制御に切り替える第１の切替制御部と、
前記第１のデータベースのうち前記第１の電力系統以外の電力系統を監視、制御を代行運用するための情報に関する情報を、更新された情報と等価にする第１の等価編集処理部と、を含み、
前記第２の電力系統監視制御装置は、
前記ネットワークを介して、少なくとも前記第１の事業所システムと情報交換するための第２の伝送制御部と、
電力系統を監視、制御するための情報を記憶する第２のデータベースと、
前記第２のデータベースに記憶された情報に基づいて、前記第２の電力系統の監視、制御をし、前記第２の電力系統の監視、制御から、他の電力系統の監視、制御に切り替える第２の切替制御部と、
前記第２のデータベースに記憶された情報のうち前記第２の電力系統以外の電力系統を監視、制御を代行運用するための情報に関する情報を、更新された情報と等価にする第２の等価編集処理部と、を含み、
前記第２の電力系統監視制御装置は、
前記第１の電力系統監視制御装置の前記第１のデータベースが更新された時間以後に更新した前記第２のデータベースの情報のうち前記第２の電力系統を監視、制御するための情報の更新した部分を、前記第２の伝送制御部により、前記第１の電力系統監視制御装置に、前記ネットワークを介して、伝送し、
前記第１の電力系統監視制御装置は、
受信した前記更新した部分に基づいて、前記第１の等価編集処理部により、前記第１のデータベースに記憶された情報のうち前記第２の電力系統を監視、制御を代行運用するための情報を更新することを特徴とする。
【００２７】
また、本発明の一態様に係る電力系統監視制御システムにおいて、
前記第１の事業所システムは、従事業所システムの電力系統の監視、制御を代行運用することが可能な主事業所システムであり、
前記第２の事業所システムは、他の従事業所システムの電力系統の監視、制御を代行運用することが可能な従事業所システムである。
【００２８】
また、本発明の一態様に係る電力系統監視制御システムにおいて、
前記第１の事業所システムは、他の従事業所システムの電力系統の監視、制御を代行運用することが可能な第１の従事業所システムであり、
前記第２の事業所システムは、他の従事業所システムの電力系統の監視、制御を代行運用することが可能な第２の従事業所システムである。
【００２９】
また、本発明の一態様に係る電力系統監視制御システムにおいて、
前記ネットワークによる情報の伝送は、前記主事業所システムと前記従事業所システムとの間における１対１の専用線による情報の伝送である。
【００３０】
また、本発明の一態様に係る電力系統監視制御システムにおいて、
前記ネットワークによる情報の伝送は、前記第１の従事業所システムと前記第２の従事業所システムとの間における１対１の専用線による情報の伝送である。
【００３１】
また、本発明の一態様に係る電力系統監視制御システムにおいて、
前記第１の事業所システムは、従事業所システムの電力系統の監視、制御を代行運用することが可能な第１の主事業所システムであり、
前記第１の主事業所システムは、
前記電力系統監視制御システムと同様な構成を有する他の電力系統監視制御システムの第３の電力系統の監視、制御をすることが可能な従事業所システムの監視、制御を代行運用し、
前記第１の電力系統監視制御装置の前記第１のデータベースが更新された時間以後に更新した前記第１の従事業所システムのデータベースの情報のうち前記第３の電力系統を監視、制御するための情報の更新した部分が、前記第１の電力系統監視制御装置に、前記ネットワークを介して、伝送され、
前記第１の電力系統監視制御装置は、
受信した前記更新した部分に基づいて、前記第１の等価編集処理部により、前記第１のデータベースに記憶された情報のうち前記第３の電力系統を監視、制御を代行運用するための情報を更新する。
【００３２】
また、本発明の一態様に係る電力系統監視制御システムにおいて、
前記ネットワークによる情報の伝送は、前記第１の主事業所システムと前記他の電力系統監視制御システムの第２の主事業所システムとの間における１対１の専用線による情報の伝送である。
【発明の効果】
【００３３】
本発明に係る電力系統監視制御システムによれば、電力系統監視制御装置の代行運用の切り替えに要する時間の短縮を図るとともに、ネットワークの伝送負荷の低減を図ることができる。
【図面の簡単な説明】
【００３４】
【図１】本発明の一態様である実施例１に係る電力系統監視制御システム１０００の構成の一例を示すブロック図である。
【図２】データベースを更新する対象のファイルが４つの場合における、データ更新履歴ファイルの構成の一例を示す図である。
【図３】データベースを更新した時、追加、変更等した対象となるデータ番号のａ年（ｂ＋１）月（ｃ＋１）日ｄ時ｅ分のデータ更新履歴ファイルの内容ＲＦ１の一例を示す図である。
【図４】データベースを更新した時、追加、変更等した対象となるデータ番号のａ年（ｂ＋１）月（ｃ＋２）日ｆ時ｇ分のデータ更新履歴ファイルの内容ＲＦ２の一例を示す図である。
【図５】等価データ作成用更新履歴ファイルの内容ＴＦ１の一例を示す図である。
【図６】図１に示す電力系統監視制御システム１０００と、この電力系統監視制御システム１０００と同様の構成を有する電力系統監視制御システム２０００と、の接続関係の一例を示すブロック図である。
【図７】従来の電力系統監視制御システム１０００Ａの構成の一例を示す図である。
【発明を実施するための形態】
【００３５】
以下、本発明を適用した各実施例について図面を参照しながら説明する。
【実施例１】
【００３６】
図１は、本発明の一態様である実施例１に係る電力系統監視制御システム１０００の構成の一例を示すブロック図である。
【００３７】
図１に示すように、電力系統監視制御システム１０００は、主事業所システム１００と、従事業所システム２００と、従事業所システム３００と、ネットワークＮと、を備える。
【００３８】
また、主事業所システム１００は、電力系統監視制御装置１０１と、遠方監視制御装置１０２と、事業所から遠隔地にある各変電所、開閉所、発電所等（以下電気所と称す）に設置された電力系統の開閉器１０３と、電力系統の機器１０４と、伝送路１０５ａ、１０５ｂ、１０６ａ、１０６ｂと、を有する。
【００３９】
電力系統監視制御装置１０１は、事業所間の監視、制御の運用を代行するための切替制御部１０１ａと、伝送制御部１０１ｂと、等価編集処理部１０１ｃと、データベース１０１ｄと、を有する。電力系統監視制御装置１０１は、伝送制御部１０１ｂにより、伝送路１０５ｂを介して、ネットワークＮに接続する。
【００４０】
伝送制御部１０１ｂは、ネットワークＮを介して、少なくとも従事業所システム２００および従事業所システム３００と情報交換するようになっている。
【００４１】
等価編集処理部１０１ｃは、データベース１０１ｄに記憶された情報のうち主事業所システム１００の管轄範囲外の電力系統を監視、制御を代行運用するための情報に関する情報を、更新された情報と等価にするようになっている。
【００４２】
データベース１０１ｄは、少なくとも電力系統を監視、制御するための情報を記憶するようになっている。
【００４３】
切替制御部１０１ａは、データベース１０１ｄに記憶された情報に基づいて、従事業所システム１００電力系統を監視、制御し、さらに、必要に応じて、他の電力系統の監視、制御に切り替えて代行運用するようになっている。
【００４４】
電力系統の機器１０４は、主事業所システム１００の管轄範囲の電力系統の継電器、電流計、電圧計を含む。
【００４５】
この主事業所システム１００は、通常時は、従事業所システム２００および従事業所システム３００とは異なる独立した管轄範囲の電力系統を監視し、制御するようになっている。
【００４６】
また、従事業所システム２００は、電力系統監視制御装置２０１と、遠方監視制御装置２０２と、事業所から遠隔地にある各電気所に設置された電力系統の開閉器２０３と、該電力系統の機器２０４と、伝送路２０５ａ、２０５ｂ、２０６ａ、２０６ｂと、を有する。
【００４７】
電力系統監視制御装置２０１は、事業所間の監視、制御の運用を代行するための切替制御部２０１ａと、伝送制御部２０１ｂと、等価編集処理部２０１ｃと、データベース２０１ｄと、を有する。電力系統監視制御装置２０１は、伝送制御部２０１ｂにより、伝送路２０５ｂを介して、ネットワークＮに接続する。
【００４８】
伝送制御部２０１ｂは、ネットワークＮを介して、少なくとも主事業所システム１００および従事業所システム３００と情報交換するようになっている。
【００４９】
等価編集処理部２０１ｃは、データベース２０１ｄに記憶された情報のうち従事業所システム２００の管轄範囲外の電力系統を監視、制御を代行運用するための情報に関する情報を、更新された情報と等価にするようになっている。
【００５０】
データベース２０１ｄは、少なくとも電力系統を監視、制御するための情報を記憶するようになっている
切替制御部２０１ａは、データベース２０１ｄに記憶された情報に基づいて、従事業所システム２００電力系統を監視、制御し、さらに、必要に応じて、他の電力系統の監視、制御に切り替えて代行運用するようになっている。
【００５１】
電力系統の機器２０４は、従事業所システム２００の管轄範囲の電力系統の継電器、電流計、電圧計を含む。
【００５２】
この従事業所システム２００は、通常時は、従事業所システム２００および従事業所システム３００とは異なる独立した管轄範囲の電力系統を監視し、制御するようになっている。
【００５３】
また、従事業所システム３００は、電力系統監視制御装置３０１と、遠方監視制御装置３０２と、事業所から遠隔地にある各電気所に設置された電力系統の開閉器３０３と、該電力系統の機器３０４と、伝送路３０５ａ、３０５ｂ、３０６ａ、３０６ｂと、を有する。
【００５４】
電力系統監視制御装置３０１は、事業所間の監視、制御の運用を代行するための切替制御部３０１ａと、伝送制御部３０１ｂと、等価編集処理部３０１ｃと、データベース３０１ｄと、を有する。電力系統監視制御装置３０１は、伝送制御部３０１ｂにより、伝送路３０５ｂを介して、ネットワークＮに接続する。
【００５５】
等価編集処理部３０１ｃは、データベース３０１ｄに記憶された情報のうち従事業所システム３００の管轄範囲外の電力系統を監視、制御を代行運用するための情報に関する情報を、更新された情報と等価にするようになっている。
【００５６】
データベース３０１ｄは、少なくとも電力系統を監視、制御するための情報を記憶するようになっている。
【００５７】
切替制御部３０１ａは、データベース３０１ｄに記憶された情報に基づいて、従事業所システム３００電力系統を監視、制御し、さらに、必要に応じて、他の電力系統の監視、制御に切り替えて代行運用するようになっている。
【００５８】
電力系統の機器３０４は、従事業所システム３００の管轄範囲の電力系統の継電器、電流計、電圧計を含む。
【００５９】
この従事業所システム３００は、通常時は、主事業所システム１００および従事業所システム２００とは異なる独立した管轄範囲の電力系統を監視し、制御するようになっている。
【００６０】
ここで、電力系統監視制御システム１０００は、遠方監視制御装置１０２、２０２、３０２と伝送路１０５ａ、１０６ａ、１０６ｂ、２０５ａ、２０６ａ、２０６ｂ、３０５ａ、３０６ａ、３０６ｂを介して、電力系統の開閉器１０３、２０３、３０２、継電器、電流計、電圧計１０４、２０４、３０４等の電力系統の機器状態、電流、電圧に関する全ての情報を各事業所システムの電力系統監視制御装置１０１、２０１、３０１のデータベース１０１ｄ、２０１ｄ、３０１ｄにそれぞれ集める。
【００６１】
そして、電力系統監視制御装置１０１は、データベース１０１ｄに記憶された該情報に基づいて、主事業所システム１００における個々の電気所について電力系統の状態監視、故障解析、停電区間の融通送電、電力の需要予測等の監視制御を行う。
【００６２】
同様に、電力系統監視制御装置２０１は、データベース２０１ｄに記憶された該情報に基づいて、従事業所システム２００における個々の電気所について電力系統の状態監視、故障解析、停電区間の融通送電、電力の需要予測等の監視制御を行う。
【００６３】
同様に、電力系統監視制御装置３０１は、データベース３０１ｄに記憶された該情報に基づいて、従事業所システム３００における個々の電気所について電力系統の状態監視、故障解析、停電区間の融通送電、電力の需要予測等の監視制御を行う。
【００６４】
なお、主事業所システム１００は、データベース１０１ｄに記憶された情報のうち従事業所システム２００、３００に関する部分を更新された最終の状態に等価する。そして、主事業所システム１００は、この更新されたデータベース１０１ｄに基づいて、従事業所システム２００、３００に対して、監視、制御の運用を代行することができるようになっている。
【００６５】
また、従事業所システム２００および従事業所システム３００は、データベース２０１ｄ、３０１ｄに記憶された情報のうち代行する相手のデータベース２０１ｄ、３０１ｄに対応する部分を更新された最終の状態に等価する。そして、従事業所システム２００および従事業所システム３００は、この更新されたデータベース２０１ｄ、３０１ｄに基づいて、従事業所システム２００、３００間で、監視、制御の運用を代行することができるようになっている。
【００６６】
次に、以上のような構成を有する実施例１に係る電力系統監視制御システム１０００のデータベースの等価方式について説明する。
【００６７】
図２は、データベースを更新する対象のファイルが４つの場合における、データ更新履歴ファイルの構成の一例を示す図である。
【００６８】
図２に示すように、データ更新履歴ファイルは、データ番号ｄ１が割り付けられたファイルＤ１と、データ番号ｄ２が割り付けられたファイルＤ２と、データ番号ｄ３が割り付けられたファイルＤ３と、デ-タ番号ｄ４が割り付けられたファイルＤ４と、を含む。
【００６９】
ここで、例えば、ファイルＤ１は、変更した時間データＤ１１と、処理内容データＤ１２と、インデックス番号Ｄ１３と、を含む。なお、ファイルＤ２〜Ｄ４も、同様の構成を有する。
【００７０】
また、処理内容データＤ１２には、データを削除する処理である削除Ｓ０と、データを新設する処理である新設Ｓ１と、データの内容を変更する変更Ｓ２と、が含まれる。なお、削除Ｓ０には、データ“０”が割り当てられ、新設Ｓ１には、データ“１”が割り当てられ、変更Ｓ２には、データ“２”が割り当てられている。
【００７１】
また、インデックス番号Ｄ１３は、処理内容データＤ１２で規定される処理されたデータが格納されているデータベースの場所を示す。
【００７２】
なお、このような構成を有するデータ更新履歴ファイルは、例えば、電力系統監視制御装置１０１、２０１、３０１のデータベース１０１ｄ、２０１ｄ、３０１ｄに、それぞれ含まれる。
【００７３】
図３は、データベースを更新した時、追加、変更等した対象となるデータ番号のａ年（ｂ＋１）月（ｃ＋１）日ｄ時ｅ分のデータ更新履歴ファイルの内容ＲＦ１の一例を示す図である。また、図４は、データベースを更新した時、追加、変更等した対象となるデータ番号のａ年（ｂ＋１）月（ｃ＋２）日ｆ時ｇ分のデータ更新履歴ファイルの内容ＲＦ２の一例を示す図である。
【００７４】
なお、各図において、ａ〜ｇは、正の整数を示し、同じ文字は、同じ数字を示すものとする（以下の図においても同様である）。
【００７５】
図３に示すように、ａ年（ｂ＋１）月（ｃ＋１）日ｄ時ｅ分において、データ番号ｄ１に対応するファイルのインデックス番号８１のデータが新設され、また、データ番号ｄ２に対応するファイルのインデックス番号１０１２のデータが変更されている。
【００７６】
また、図４に示すように、ａ年（ｂ＋１）月（ｃ＋２）日ｆ時ｇ分において、データ番号ｄ１に対応するファイルのインデックス番号２５のデータが変更され、また、データ番号ｄ２に対応するファイルのインデックス番号１０１２のデータが削除され、また、データ番号ｄ４に対応するファイルのインデックス番号９のデータが削除されている。
【００７７】
このように、例えば、従事業所システム２００においてデータベース２０１ｄを更新するとき、等価編集処理部２０１ｃは、対象となるデータ番号と、インデックス番号と、処理内容データと、を記録したデータ更新履歴ファイルをデータベース２０１ｄに作成する。
【００７８】
また、図５は、等価データ作成用更新履歴ファイルの内容ＴＦ１の一例を示す図である。
【００７９】
ここでは、例えば、主事業所システム１００が従事業所システム２００の管轄範囲を代行運用して監視制御を行う場合を考える。
【００８０】
この場合、従事業所システム２００の伝送制御部２０１ｂは、ネットワークＮを介して、等価対象の主事業所システム１００から最終のデータ更新履歴ファイルの時間データを受け取る。
【００８１】
図５に示すように、例えば、主事業所システム１００の最終のデータ更新履歴ファイルの時間データがａ年ｂ月ｃ日ｄ時ｅ分であるとする。
【００８２】
この場合、従事業所システム２００のデータベース２０１ｄにおけるａ年（ｂ＋１）月（ｃ＋１）日ｄ時ｅ分のデータ更新履歴ファイルＲＦ１（図３）とａ年（ｂ＋１）月（ｃ＋２）日ｆ時ｇ分のデータ更新履歴ファイルＲＦ２（図４）とが、最終のデータ更新履歴の時間データａ年ｂ月ｃ日ｄ時ｅ分から後に更新したデータ更新履歴ファイルとなる。
【００８３】
すなわち、データ更新履歴ファイルＲＦ１、ＲＦ２が、主事業所システム１００のデータベース１０１ｄの従事業所システム２００の管轄範囲を代行運用して監視制御するための情報を等価にするための編集対象となる。
【００８４】
この編集対象となった図３に示すデ-タ更新履歴ファイルＲＦ１のＲ１２に対応するファイルと、編集対象となった図４に示すデ-タ更新履歴ファイルＲＦ２のＲ２２に対応するファイルとは、同じデータ番号ｄ１、インデックス番号（１０１２）である。したがって、Ｒ２２に対応するファイルが最終的な処理内容となる。
【００８５】
そこで、等価データ作成用更新履歴ファイルＴＦ１を作成するのに必要最低限のデータとして、Ｒ１１、Ｒ２１、Ｒ２２、Ｒ２３に対応するファイルが抽出される。この抽出されたファイルに基づいて、図５に示す等価データ作成用更新履歴ファイルＴＦ１の内容が決定される。
【００８６】
このように、データベース２０１ｄの更新を行った処理をひとまとめにして、処理の中で同じインデックス番号に行った処理内容に対しては、最終的な処理内容とする。
【００８７】
すなわち、従事業所システム２００の等価編集処理部２０１ｃは、受け取った最終のデータ更新履歴ファイルの該時間データで規定される時間よりも後に更新したデータ更新履歴ファイルから処理内容を編集する。これにより、等価編集処理部２０１ｃは、該時間よりも後に更新されたデータのみを抽出し、データ更新履歴ファイルを作成する。
【００８８】
ここで、従事業所システム２００の電力系統監視制御装置２０１の伝送制御部２０１ｂは、図５に示す等価データ作成用更新履歴ファイルＴＦ１を、ネットワークＮを介して、等価対象のデータベースを有する主事業所システム１００の電力系統監視制御装置１０１の伝送制御部１０１ｂへ伝送する。
【００８９】
すなわち、電力系統監視制御装置２０１は、電力系統監視制御装置１０１のデータベース１０１ｄが更新された時間以後に更新したデータベース２０１ｄの情報のうち従事業所システム２００の管轄範囲の電力系統を監視、制御するための情報の更新した部分を、伝送制御部１０１ｂにより、電力系統監視制御装置１０１に、ネットワークＮを介して、伝送する。
【００９０】
次に、主事業所システム１００の電力系統監視制御装置１０１の等価編集処理部１０１ｃは、受信した等価データ作成用更新履歴ファイルＴＦ１に基づいて、編集対象となるデータベースをひとまとめにして、データベースのうち従事業所システム２００に関する部分に反映させて、データベース１０１ｄを更新する。
【００９１】
すなわち、電力系統監視制御装置１０１は、受信した該更新した部分に基づいて、等価編集処理部１０１ｃにより、データベース１０１ｄに記憶された情報のうち従事業所システム２００の管轄範囲の電力系統を監視、制御を代行運用するための情報を更新する。
【００９２】
これにより、等価編集処理部１０１ｃは、データベースに記憶された情報のうち従事業所システム２００の電力系統（主事業所システム１００の電力系統以外の電力系統）を監視、制御するための情報に関する情報を、受信した等価データ作成用更新履歴ファイルに基づいた更新された情報と等価にする。
【００９３】
これにより、代行運用の切替の際に、更新された情報に関するデータのみがネットワークＮを伝送することになるので、ネットワークＮを伝送するデータ量を削減することができる。すなわち、電力系統監視制御装置の代行運用の切り替えに要する時間の短縮を図るとともに、ネットワークの伝送負荷の低減を図ることができる。
【００９４】
なお、本実施例では、主事業所システム１００が従事業所システム２００の電力系統の監視、制御を代行運用する場合について説明したが、主事業所システム１００が従事業所システム３００の電力系統の監視、制御を代行運用する場合も同様である。
【００９５】
さらに、従事業所システム２００が従事業所システム３００の電力系統の監視、制御を代行運用する場合、および、従事業所システム３００が従事業所システム２００の電力系統の監視、制御を代行運用する場合も同様である。
【００９６】
また、ネットワークＮによる情報の伝送は、主事業所システム１００と従事業所システム２００との間における１対１の専用線による情報の伝送、主事業所システム１００と従事業所システム３００との間における１対１の専用線による情報の伝送、および、従事業所システム２００と従事業所システム３００との間における１対１の専用線による情報の伝送、を含む。
【００９７】
ここで、異なる２つの電力系統監視制御システム間でも電力系統の代行運用を行ってもよい。図６は、図１に示す電力系統監視制御システム１０００と、この電力系統監視制御システム１０００と同様の構成を有する電力系統監視制御システム２０００と、の接続関係の一例を示すブロック図である。
【００９８】
図６に示すように、図１に示す電力系統監視制御システム１０００と、この電力系統監視制御システム１０００と同様の構成を有する電力系統監視制御システム２０００とは、ネットワークＮにより接続されている。電力系統監視制御システム１０００の主事業所システムと電力系統監視制御システム２０００の主事業所システム（図示しないが主事業所システム１００と同様の構成を有する）とが、ネットワークＮを介して、それぞれの従事業所システムの電力系統の代行運用に必要な情報の伝送をするようになっている。
【００９９】
なお、ネットワークＮによる情報の伝送は、電力系統監視制御システム１０００の主事業所システムと電力系統監視制御システム２０００の主事業所システムとの間における１対１の専用線による情報の伝送である。
【０１００】
ここで、例えば、電力系統監視制御システム１０００の主事業所システムが、電力系統監視制御システム２０００の主事業所システムを介して、電力系統監視制御システム２０００の従事業所システムの電力系統の監視、制御を代行運用するようにしてもよい。
【０１０１】
この場合の電力系統の監視、制御を代行運用のデータベースの更新については、既述の、主事業所システム１００が従事業所システム２００の電力系統の監視、制御を代行運用する場合と同様である。
【０１０２】
例えば、電力系統監視制御システム１０００の主事業所システム１００は、電力系統監視制御システム２０００の電力系統の監視、制御をすることが可能な従事業所システムの監視、制御を代行運用する。
【０１０３】
この場合、主事業所システム１００の電力系統監視制御装置１０１ｄのデータベースが更新された時間以後に更新した電力系統監視制御システム２０００の従事業所システムのデータベースの情報のうち電力系統を監視、制御するための情報の更新した部分が、主事業所システム１００の電力系統監視制御装置に、ネットワークＮを介して、伝送される。
【０１０４】
そして、電力系統監視制御装置１０１ｄは、受信した該更新した部分に基づいて、等価編集処理部１０１ｃにより、データベース１０１ｄのうち電力系統監視制御システム２００の従事業所システムの該電力系統を監視、制御を代行運用するための情報を更新する。
【０１０５】
この場合も、既述のように、代行運用の切替の際に、ネットワークＮを伝送させるデータ量を削減することができる。
【０１０６】
以上のように、本実施例に係る電力系統監視制御システムによれば、電力系統監視制御装置の代行運用の切り替えに要する時間の短縮を図るとともに、ネットワークの伝送負荷の低減を図ることができる。
【符号の説明】
【０１０７】
１００  主事業所システム
１０１  電力系統監視制御装置
１０１ａ  切替制御部
１０１ｂ  伝送制御部
１０１ｃ  等価編集処理部
１０１ｄ  データベース
１０２  遠方監視制御装置
１０３  開閉器
１０４  電力系統の機器
１０５ａ、１０５ｂ、１０６ａ、１０６ｂ  伝送路
２００  従事業所システム
２０１  電力系統監視制御装置
２０２  遠方監視制御装置
２０３  開閉器
２０４  電力系統の機器
２０５ａ、２０５ｂ、２０６ａ、２０６ｂ  伝送路
３００  従事業所システム
３０１  電力系統監視制御装置
３０２  遠方監視制御装置
３０３  電力系統の開閉器
３０４  電力系統の機器
３０５ａ、３０５ｂ、３０６ａ、３０６ｂ  伝送路
１０００、１０００Ａ、２０００  電力系統監視制御システム
Ｎ  ネットワーク
【図１】
2011147209.tif 000003
【図２】
2011147209.tif 000004
【図３】
2011147209.tif 000005
【図４】
2011147209.tif 000006
【図５】
2011147209.tif 000007
【図６】
2011147209.tif 000008
【図７】
2011147209.tif 000009